(57)【要約】  本発明の実施形態は、ユーザ装置ＵＥであって、ＵＥは、・−  ＵＥが位置する国を決定することと・−  ＤＮクエリを介して、ローカルＰＬＭＮと呼ばれる、ＵＥが位置する国のＰＬＭＮのリストを入手することと、・−  ＵＥのＨＰＬＭＮとの信頼できないＷＬＡＮアクセスのためのローミング契約を有するローカルＰＬＭＮのうちの１つによって運用されるｅＰＤＧを選択することとを行うように構成される。
2019506070.tif 000002
【特許請求の範囲】
【請求項１】
ユーザ装置ＵＥであって、
−  ＵＥが位置する国を決定することと、
−  ＤＮＳクエリを介して、ローカルＰＬＭＮと呼ばれる、ＵＥが位置する国のＰＬＭＮのリストを入手することと、
−  ＵＥのＨＰＬＭＮとの信頼できないＷＬＡＮアクセスのためのローミング契約を有するローカルＰＬＭＮのうちの１つによって運用されるｅＰＤＧを選択することと
を行うように構成される、ＵＥ。
【請求項２】
−  ＵＥが位置する国のＭＣＣを含んでいる入力に対するＤＮＳサーバへのＤＮＳクエリを介して、ローカルＰＬＭＮのリストを入手する
ように構成される、請求項１に記載のＵＥ。
【請求項３】
−  ＵＥのＨＰＬＭＮとの信頼できないＷＬＡＮアクセスのためのローミング契約を、どのＰＬＭＮが有するかをＵＥが知ることを可能にする情報が、ｅＰＤＧの選択情報の中でＵＥのＨＰＬＭＮによってＵＥに提供されている、請求項１または２に記載のＵＥ。
【請求項４】
−  ＵＥが位置する国におけるローカルＰＬＭＮによって運用されるｅＰＤＧを選択することを前記ＵＥが要求される場合、前記ｅＰＤＧを選択する
ように構成される、請求項１から４のいずれか一項に記載のＵＥ。
【請求項５】
ユーザ装置ＵＥによって行われる方法であって、
−  ＵＥが位置する国を決定するステップと、
−  ＤＮＳクエリを介して、ローカルＰＬＭＮと呼ばれる、ＵＥが位置する国のＰＬＭＮのリストを入手するステップと、
−  ＵＥのＨＰＬＭＮとの信頼できないＷＬＡＮアクセスのためのローミング契約を有するローカルＰＬＭＮのうちの１つによって運用されるｅＰＤＧを選択するステップと
を含む、方法。
【請求項６】
−  ＵＥが位置する国のＭＣＣを含んでいる入力に対するＤＮＳサーバへのＤＮＳクエリを介して、ローカルＰＬＭＮのリストを入手するステップ
を含む、請求項５に記載の方法。
【請求項７】
−  ＵＥのＨＰＬＭＮとの信頼できないＷＬＡＮアクセスのためのローミング契約を、どのＰＬＭＮが有するかをＵＥが知ることを可能にする情報が、ｅＰＤＧの選択情報の中でＵＥのＨＰＬＭＮによってＵＥに提供されている、請求項５または６に記載の方法。
【請求項８】
−  ＵＥが位置する国におけるローカルＰＬＭＮによって運用されるｅＰＤＧを選択することを前記ＵＥが要求される場合、前記ｅＰＤＧの選択を行うステップ
を含む、請求項５から７のいずれか一項に記載の方法。
【請求項９】
−  国のＭＣＣを含むＦＱＤＮをターゲットとするＤＮＳクエリを受け取ることと、
−  それに応じて、前記国の緊急電話番号のリストを提供することと
を行うように構成される、ＤＮＳサーバ。
【請求項１０】
ＤＮＳサーバによって行われる方法であって、
−  国のＭＣＣを含むＦＱＤＮをターゲットとするＤＮＳクエリを受け取るステップと
−  それに応じて、前記国の緊急電話番号のリストを提供するステップと
を含む、方法。
【発明の詳細な説明】
【技術分野】
【０００１】
本発明は、一般に、モバイル通信ネットワークおよびシステムに関する。
【背景技術】
【０００２】
モバイルネットワークおよびシステムの説明は、例えば３ＧＰＰ（第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ））などの標準化団体によって刊行された、具体的には技術仕様書などの文献でみることができる。
【０００３】
３ＧＰＰモバイルシステムの例は、ＥＰＳ（進化型パケットシステム（Ｅｖｏｌｖｅｄ  Ｐａｃｋｅｔ  Ｓｙｓｔｅｍ））である。ＥＰＳなどのシステムにおいて、ユーザ装置ＵＥ（Ｕｓｅｒ  Ｅｑｕｉｐｍｅｎｔ）は、（ＩＰ接続性の提供を含めた）通信サービスを提供するＥＰＳネットワークにアクセスできる。ＥＰＳネットワークは、３ＧＰＰアクセスだけでなく、非３ＧＰＰアクセスによってもアクセスされ得るＥＰＣ（進化型パケットコア（Ｅｖｏｌｖｅｄ  Ｐａｃｋｅｔ  Ｃｏｒｅ））と呼ばれるコアネットワークを備える。非３ＧＰＰアクセスの典型的な例は、以下でより具体的に考察されるが、ＷＬＡＮアクセスである。
【０００４】
ＥＰＣへのＷＬＡＮアクセスは、３ＧＰＰ  ＴＳ  ２３．４０２および３ＧＰＰ  ＴＳ  ２４．３０２で具体的に規定されている。信頼できないＷＬＡＮアクセスの場合、ＵＥとネットワークが安全に通信できることを保証するために、ＵＥと進化型パケットデータゲートウェイｅＰＤＧ（ｅｖｏｌｖｅｄ  Ｐａｃｋｅｔ  Ｄａｔａ  Ｇａｔｅｗａｙ）との間に、ＩＰＳｅｃトンネルが確立される。ＵＥによるｅＰＤＧの選択手順は、３ＧＰＰ  ＴＳ  ２３．４０２および３ＧＰＰ  ＴＳ  ２４．３０２で具体的に規定されている。
【先行技術文献】
【非特許文献】
【０００５】
【非特許文献１】３ＧＰＰ  ＴＳ  ２３．４０２
【非特許文献２】３ＧＰＰ  ＴＳ  ２３．４０２、§４．５．４．２
【非特許文献３】３ＧＰＰ  ＴＳ  ２３．４０２、§４．５．４．３
【非特許文献４】３ＧＰＰ  ＴＳ  ２３．４０２、項４．５．４（ｖ１３．４．０）
【非特許文献５】３ＧＰＰ  ＴＳ  ２４．３０２
【非特許文献６】３ＧＰＰ  ＴＳ  ２４．３０２、従属項７．２．２
【非特許文献７】ｈｔｔｐｓ：／／ｆｒ．ｗｉｋｉｐｅｄｉａ．ｏｒｇ／ｗｉｋｉ／Ｍｏｂｉｌｅ＿ｃｏｕｎｔｒｙ＿ｃｏｄｅ
【非特許文献８】３ＧＰＰ  ＴＳ  ２３．００３
【非特許文献９】３ＧＰＰ  ＴＳ  ２３．００３、付録Ｄ「Ａｐｐｌｉｃａｂｉｌｉｔｙ  ａｎｄ  ｕｓｅ  ｏｆ  ｔｈｅ  ”．３ｇｐｐｎｅｔｗｏｒｋ．ｏｒｇ”  ｄｏｍａｉｎ  ｎａｍｅ」
【非特許文献１０】３ＧＰＰ  ２３．２２８
【非特許文献１１】ＴＲ  ２３．７４９
【発明の概要】
【発明が解決しようとする課題】
【０００６】
ＥＰＣへの信頼できないＷＬＡＮアクセスのために、適切なｅＰＤＧが選択されることが重要である。発明者によって認識されるところでは、またその後のさらなる詳細によって説明されるように、現在規定されている、ＵＥによるｅＰＤＧの選択手順は改善される必要がある。
【０００７】
具体的には、ユーザ装置ＵＥが位置する国におけるｅＰＤＧの選択を改善する必要がある。
【０００８】
ユーザ装置ＵＥが位置する国における現地の緊急電話番号の決定を改善する必要もある。
【０００９】
さらに一般に、移動体通信システムにおいて、訪問国におけるユーザ装置ＵＥのサービングへの機能強化が必要である。
【００１０】
本発明の実施形態は、このようなニーズに具体的に対処する。
【課題を解決するための手段】
【００１１】
１つの態様における、いくつかの実施形態において、これらおよびその他の目的は、ユーザ装置ＵＥによって実現され、ユーザ装置ＵＥは：
−  ＵＥのＨＰＬＭＮによって構成されたｅＰＤＧの選択情報を入手することであって、前記ｅＰＤＧの選択情報は、ＰＬＭＮ内のｅＰＤＧの選択が、好ましいもしくは必須であるか、または好ましくないかを示すＰＬＭＮのリストを含む、入手することと、
−  前記ｅＰＤＧの選択情報の中で構成されたＰＬＭＮの前記リスト、ならびにＵＥが位置する国のＭＣＣのリストおよび／またはローカルＰＬＭＮのリストに基づいて、ＥＰＣへの信頼できないＷＬＡＮアクセスのための、ＵＥのＨＰＬＭＮとのローミング契約を有する、ローカルＰＬＭＮと呼ばれる、前記国のＰＬＭＮによって運用されるｅＰＤＧを選択することと
を行うように構成される。
【００１２】
別の態様における、いくつかの実施形態において、これらおよびその他の目的は、ユーザ装置ＵＥによって実現され、ユーザ装置ＵＥは：
−  ＵＥが位置する国の、ローカルＰＬＭＮと呼ばれる、ＰＬＭＮのリストを入手することと、
−  ローカルＰＬＭＮの前記リスト、およびＥＰＣへの信頼できないＷＬＡＮアクセスのための、ＵＥのＨＰＬＭＮとのローミング契約をローカルＰＬＭＮが有するかどうかを示す、ローカルＰＬＭＮのローミング契約情報と呼ばれる情報に基づいて、ＥＰＣへの信頼できないＷＬＡＮアクセスのための、ＵＥのＨＰＬＭＮとのローミング契約を有するローカルＰＬＭＮによって運用されるｅＰＤＧを選択することと
を行うように構成される。
【００１３】
別の態様における、いくつかの実施形態において、これらおよびその他の目的は、ユーザ装置ＵＥによって実現され、ユーザ装置ＵＥは：
−  ＥＰＣへの信頼できないＷＬＡＮアクセスのための、ＵＥのＨＰＬＭＮとのローミング契約を有する、ＵＥが位置する国の、ローカルＰＬＭＮと呼ばれる、ＰＬＭＮのリストを入手することと、
−  前記リストに基づいて、ＥＰＣへの信頼できないＷＬＡＮアクセスのための、ＵＥのＨＰＬＭＮとのローミング契約を有するローカルＰＬＭＮによって運用されるｅＰＤＧを選択することと
を行うように構成される。
【００１４】
別の態様における、いくつかの実施形態において、これらおよびその他の目的は、ＤＮＳサーバによって実現され、ＤＮＳサーバは：
−  国のＭＣＣを含むＦＱＤＮをターゲットとするＤＮＳクエリを受け取ることと、
−  それに応じて、前記国のＰＬＭＮの識別子のリスト、つまりＭＣＣおよびＭＮＣを提供することと
を行うように構成される。
【００１５】
別の態様における、いくつかの実施形態において、これらおよびその他の目的は、ＤＮＳサーバによって実現され、ＤＮＳサーバは：
−  ＦＱＤＮをターゲットとするＤＮＳクエリを受け取ることであって、ＦＱＤＮは：
・  ＵＥの訪問国におけるローカルＰＬＭＮのＭＣＣおよびＭＮＣ、ならびに
・  ＵＥのＨＰＬＭＮのＭＣＣおよびＭＮＣ
を含む、受け取ることと、
−  それに応じて、ＥＰＣへの信頼できないＷＬＡＮアクセスのための、ＵＥのＨＰＬＭＮとのローミング契約を前記ローカルＰＬＭＮが有していない場合、失敗を示すことと
を行うように構成される。
【００１６】
別の態様における、いくつかの実施形態において、これらおよびその他の目的は、ＤＮＳサーバによって実現され、ＤＮＳサーバは：
−  ＦＱＤＮをターゲットとするＤＮＳクエリを受け取ることであって、ＦＱＤＮは：
・  ＵＥのＨＰＬＭＮのＭＣＣおよびＭＮＣ、ならびに
・  ＵＥが位置する国のＭＣＣ
を含む、受け取ることと、
−  それに応じて、ＥＰＣへの信頼できないＷＬＡＮアクセスのための、ＵＥのＨＰＬＭＮとのローミング契約を有する、前記国のＰＬＭＮの識別子のリスト、つまりＭＣＣおよびＭＮＣを提供することと
を行うように構成される。
【００１７】
別の態様における、いくつかの実施形態において、これらおよびその他の目的は、ユーザ装置ＵＥが位置する国における進化型パケットデータゲートウェイを選択するための方法によって実現され、方法は、このようにして構成されたＵＥまたはＤＮＳサーバのうちの少なくとも１つによって行われる少なくとも１つのステップを含む。
【００１８】
別の態様における、いくつかの実施形態において、これらおよびその他の目的は、ＤＮＳサーバによって実現され、ＤＮＳサーバは：
−  国のＭＣＣを含むＦＱＤＮをターゲットとするＤＮＳクエリを受け取ることと、
−  それに応じて、前記国の緊急電話番号のリストを提供することと
を行うように構成される。
【００１９】
別の態様における、いくつかの実施形態において、これらおよびその他の目的は、Ｐ−ＣＳＣＦによって実現され、Ｐ−ＣＳＣＦは：
−  ＵＥをサーブするＶＰＬＭＮのＭＣＣに基づいて、このＭＣＣに対応する国において定義された緊急電話番号のリストをＤＮＳサーバから取り出すこと
を行うように構成される。
【００２０】
別の態様における、いくつかの実施形態において、これらおよびその他の目的は、ユーザ装置ＵＥが位置する国における現地の緊急電話番号を決定するための方法によって実現され、方法は、このようにして構成されたＰ−ＣＳＣＦまたはＤＮＳサーバのうちの少なくとも１つによって行われる少なくとも１つのステップを含む。
【００２１】
本発明の実施形態による装置および／または方法のいくつかの実施形態が、ほんの一例として、添付の図面を参照しながら以下に説明される。
【図面の簡単な説明】
【００２２】
【図１】本発明の第１の実施形態による、ｅＰＤＧの選択のために使用される情報の例を簡単に示すことを意図する図である。
【図２】本発明の第２の実施形態による、ｅＰＤＧの選択のために使用される情報の例を簡単に示すことを意図する図である。
【図３】本発明の第３の実施形態による、ｅＰＤＧの選択のために使用される情報の例を簡単に示すことを意図する図である。
【発明を実施するための形態】
【００２３】
省略形
ＤＮＳ          ドメインネームシステム（Ｄｏｍａｉｎ  Ｎａｍｅ  Ｓｙｓｔｅｍ）
ＥＰＣ          進化型パケットコア
ｅＰＤＧ        進化型パケットデータゲートウェイ
ＥＰＳ          進化型パケットシステム
ＦＱＤＮ        完全に指定されたドメイン名（Ｆｕｌｌｙ  Ｑｕａｌｉｆｉｅｄ  Ｄｏｍａｉｎ  Ｎａｍｅ）
ＨＰＬＭＮ      ホームＰＬＭＮ（Ｈｏｍｅ  ＰＬＭＮ）
ＩＭＳ          ＩＰマルチメディアサブシステム（ＩＰ  Ｍｕｌｔｉｍｅｄｉａ  Ｓｕｂｓｙｓｔｅｍ）
ＭＣＣ          モバイル国コード（Ｍｏｂｉｌｅ  Ｃｏｕｎｔｒｙ  Ｃｏｄｅ）
ＭＮＣ          モバイルネットワークコード（Ｍｏｂｉｌｅ  Ｎｅｔｗｏｒｋ  Ｃｏｄｅ）
Ｐ−ＣＳＣＦ    プロキシ呼セッション制御機能（Ｐｒｏｘｙ  Ｃａｌｌ  Ｓｅｓｓｉｏｎ  Ｃｏｎｔｒｏｌ  Ｆｕｎｃｔｉｏｎ）
ＰＬＭＮ        公衆陸上移動網（Ｐｕｂｌｉｃ  Ｌａｎｄ  Ｍｏｂｉｌｅ  Ｎｅｔｗｏｒｋ）
ＵＥ            ユーザ装置
ＶＰＬＭＮ      訪問先ＰＬＭＮ（Ｖｉｓｉｔｅｄ  ＰＬＭＮ）
ＷＬＡＮ        無線ローカルエリアネットワーク（Ｗｉｒｅｌｅｓｓ  Ｌｏｃａｌ  Ａｒｅａ  Ｎｅｔｗｏｒｋ）
【００２４】
ＷＬＡＮ対応ＵＥ（ＷＬＡＮ  ｃａｐａｂｌｅ  ＵＥ）が３ＧＰＰアクセスを介して３ＧＰＰ  ＲＰＬＭＮ（ＨＰＬＭＮまたはＶＰＬＭＮ）に接続されているとき、ＴＳ  ２３．４０２、項４．５．４（バージョンｖ１３．４．０を参照）に従って、このＲＰＬＭＮ内またはＵＥのＨＰＬＭＮ内のｅＰＤＧをＵＥが選択することが規定されている。
【００２５】
ＵＥが３ＧＰＰアクセスを介して３ＧＰＰ  ＰＬＭＮに接続されていないとき、（ＴＳ  ２３．００３に規定されているようなＭＣＣおよびＭＮＣを用いて）対応するオペレータ識別子ＦＱＤＮを構築することによって、ＵＥが位置する国においてＵＥがｅＰＤＧを選択することが規定されている。しかし、選択されたＰＬＭＮは、「ｅＰＤＧの選択情報」（４．５．４．４の黒丸２）ａ）を参照）の中にあり、ＵＥのＨＰＬＭＮとの信頼できないＷＬＡＮのためのローミング契約を有するＰＬＭＮをすべて含むわけではなく、必須かつ好ましいＰＬＭＮ（すなわち、ＵＥがこのＰＬＭＮ内のｅＰＤＧを選択することが必須または好ましいとＨＰＬＭＮが判定したローカルＰＬＭＮ）だけを含むということが条件である。この「ｅＰＤＧの選択情報」は、ＵＥのＨＰＬＭＮによってあらかじめＵＥに提供されている。
【００２６】
合法的傍受のために、現地国の規制当局は、その国にあるＵＥはその国におけるｅＰＤＧを選択しなければならないことを義務付けている場合がある。この場合、ｅＰＤＧを選択するアルゴリズムは、他の国からの情報から独立したままでなければならない。これは、「ｅＰＤＧの選択情報」に依存しないことを伴う。何故ならば、この情報はＨＰＬＭＮによって提供されるためである（訪問国におけるｅＰＤＧを選択する要求と矛盾する場合がある）。
【００２７】
ＵＥが位置する同じ国におけるｅＰＤＧをＵＥが選択しなければならない別の使用事例は、ＵＥがどの３ＧＰＰ  ＰＬＭＮにも接続されていないときの、ＷｉＦｉを介した緊急通話に関するものである。
【００２８】
いくつかの実施形態において：
ＵＥは、ＵＥが位置する国を決定できると想定される。ｅＰＤＧの選択情報の中の新しい追加情報を介して、および／または１つもしくは複数のＤＮＳクエリを介して、ＵＥのＨＰＬＭＮとの信頼できないＷＬＡＮアクセスのためのローミング契約を有する、すなわち、ＵＥのＨＰＬＭＮからＵＥを認証し、認可できる１つまたは複数のｅＰＤＧを所有する、「ローカル」ＰＬＭＮ（すなわちＵＥが位置する国にあるＰＬＭＮ）のリストを、ＷＬＡＮ対応ＵＥが入手できるようにすることが、その狙いである。
【００２９】
ＤＮＳサーバは公開されている（インターネット上のどこからでもアクセス可能である）。
【００３０】
ＵＥのＨＰＬＭＮとの信頼できないＷＬＡＮアクセスのためのローミング契約をローカルＰＬＭＮが有していることを知っているので、ＵＥは、これらのＰＬＭＮのうちの１つによって運用されるｅＰＤＧへの、ＴＳ  ２４．３０２、従属項７．２．２によるＩＰＳｅｃトンネルの確立を試みることができる。
【００３１】
代替形態１、代替形態２、代替形態３と呼ばれる３つの代替形態は、区別されてよい。
【００３２】
これらの種々の代替に関する本発明の実施形態および／または態様は、次のように説明されてよい。
【００３３】
代替形態１
１つの代替形態は、ｅＰＤＧの選択情報の中の各ＰＬＭＮの属性「必須、好ましい」を、「好ましくない」を用いて拡張することである。これは、どのＰＬＭＮがＵＥのＨＰＬＭＮとのローミング契約を有するかを知ることを可能にする。
【００３４】
この代替形態において、ＵＥは、ＵＥが位置する国のＭＣＣのリストを既に知っているか、またはＵＥは、この国のＰＬＭＮの十分なリスト（ＭＣＣおよびＭＮＣ）を入手するために、公開ＤＮＳに問い合わせる必要がある。対応するＤＮＳのレコードは、集中管理によって管理される。
【００３５】
入力は、ＵＥが位置する国のＭＣＣ（または複数のＭＣＣのうちの１つ）を含むＦＱＤＮである。出力は、この国のＰＬＭＮの識別子のリスト（ＭＣＣおよびＭＮＣ）である。リソースレコードは、ＮＡＰＴＲレコードである。
【００３６】
次にＵＥは、ＰＬＭＮがｅＰＤＧの選択情報の中で構成される場合だけ、上記リスト内のいずれかのＰＬＭＮによって運用されるｅＰＤＧへの、ＴＳ  ２４．３０２、従属項７によるＩＰＳｅｃトンネルを確立しようと試みる。
【００３７】
この代替形態は、ＨＰＬＭＮによってｅＰＤＧの選択情報が提供されるので、ＨＰＬＭＮからの依存を含意するが、代替形態２にあるように、その後のＤＮＳクエリを回避する。誤設定のために、ｅＰＤＧの選択情報の中のＨＰＬＭＮによってＰＬＭＮが提供されない場合、ＵＥは、このＰＬＭＮ内のｅＰＤＧを選択することは全く試みないが、これは、ＵＥがこのＨＰＬＭＮ内のｅＰＤＧを選択することを試みないので、害にはならない。
【００３８】
代替形態２
代替形態１に類似しているが、ｅＰＤＧの選択情報は、「好ましくない」を用いて機能強化されない。この場合、ｅＰＤＧの選択情報が「好ましくないＰＬＭＮ」を含んでいないので、ＵＥは、ローミング契約をすべて知っているわけではない。
【００３９】
この国のＭＣＣのすべてを知っていても、代替形態１にあるように、この国のローカルＰＬＭＮのリスト（ＭＣＣおよびＭＮＣ）を正確に入手するために、ＵＥは最初に公開ＤＮＳに問い合わせる。
【００４０】
ＵＥのＨＰＬＭＮとの信頼できないＷＬＡＮアクセスのためのローミング契約を有するローカルＰＬＭＮのリストだけを保管するための（ＤＮＳ）クエリの第２のセットが必要である（代替形態１の第１のクエリによって取り出されたＰＬＭＮのリストの中にこのような契約を有していないローカルＰＬＭＮを取り除くため）。
【００４１】
クエリのこの第２のセットは、以下を含むＦＱＤＮをターゲットとするＤＮＳクエリに対応する：
−  訪問国におけるローカルＰＬＭＮのＭＣＣおよびＭＮＣ
−  ＵＥのＨＰＬＭＮのＭＣＣおよびＭＮＣ
各ローカルＰＬＭＮに対する各ＤＮＳクエリの出力は、
・  ＵＥのＨＰＬＭＮとの信頼できないＷＬＡＮアクセスのためのローミング契約を、ローカルＰＬＭＮが有していない場合は失敗、
・  ＨＰＬＭＮのユーザをサーブできるローカルＰＬＭＮのｅＰＤＧのリストをさらに取得することを可能にする、（ＵＥのＨＰＬＭＮに依存することがある）ＦＱＤＮである。これは、ＨＰＬＭＮがローミング契約を有するＨＰＬＭＮのそれぞれに対するｅＰＤＧのＩＰアドレスのリストを、ＶＰＬＭＮが構成する必要を回避する。
【００４２】
代替形態３
別の代替は、ＵＥのＨＰＬＭＮとの信頼できないＷＬＡＮのためのローミング契約を有するＰＬＭＮのリストを返すＤＮＳに、ＵＥが直接的に問い合わせることである。
【００４３】
ＤＮＳの入力は、以下を含むＦＱＤＮである：
−  ＵＥのＨＰＬＭＮのＭＣＣおよびＭＮＣ
−  ＵＥが位置する国のＭＣＣ（または複数のＭＣＣのうちの１つ）（ＵＥが位置する国を、ＵＥが知ることができると想定される）
ＤＮＳの出力は、ＵＥのＨＰＬＭＮとの信頼できないＷＬＡＮアクセスのためのローミング契約を有する、この国のＰＬＭＮの識別子のリスト（ＭＣＣおよびＭＮＣ）である。このリストは指示される可能性がある。
【００４４】
この特徴は、例えば、
・  ＵＥが現在、キャンピングしている現地国において、ＵＥがこの国においてローカルなｅＰＤＧしか使用しない命令を、ＵＥが受け取ったとき（このようにして現地国における合法的傍受を可能にする）
またはＷＬＡＮを介した緊急通話のために
使用されることになる。
【００４５】
これらの種々の代替形態に関する本発明の実施形態および／または態様は、さらに次のように説明されてよい。
【００４６】
ＵＥが位置する国を、ＷＬＡＮ対応ＵＥが決定でき、ＷｉＦｉを介して緊急通話をしようとＵＥが試みているか、またはＵＥが現在キャンピングしている国において、この国に位置するｅＰＤＧのみをＵＥは使用するという命令をＵＥが受け取ったとき、および３ＧＰＰアクセスを介して３ＧＰＰ  ＰＬＭＮにＵＥが接続されていない場合、（または、３ＧＰＰアクセス上でＵＥをサーブするＲＰＬＭＮのｅＰＤＧによって、サーブされるのにＵＥが失敗した場合）、ＵＥはこの国におけるＰＬＭＮ内のｅＰＤＧを以下のように選択する。
【００４７】
第１の代替形態として：
１）本発明の第１の態様として、いくつかの実施形態において、この代替形態は、ＴＳ  ２３．４０２（§４．５．４．３）で規定されているｅＰＤＧの選択情報の中の各ＰＬＭＮの属性「必須」、「好ましい」が、値「好ましくない」によって機能強化されると想定する。ｅＰＤＧの選択情報の中で構成される「好ましくない」ＰＬＭＮは（ローカルなｅＰＤＧを選択することをＵＥが要求される場合）ＶＰＬＭＮ内のｅＰＤＧの選択が認められるが、（ローカルなｅＰＤＧを選択することを、ＵＥが要求されない場合）ＨＰＬＭＮ内のｅＰＤＧの選択が好ましいＰＬＭＮである。
【００４８】
２）ＵＥは、ＵＥが位置する国を検出し、国のＭＣＣのうちの１つを決定する（国は、いくつかのＭＣＣを有する可能性がある、ｈｔｔｐｓ：／／ｆｒ．ｗｉｋｉｐｅｄｉａ．ｏｒｇ／ｗｉｋｉ／Ｍｏｂｉｌｅ＿ｃｏｕｎｔｒｙ＿ｃｏｄｅ）。
【００４９】
３）本発明の第２の態様として、いくつかの実施形態において、（例えば、ＵＥがこの国のＭＣＣのリストを知らない場合）ＵＥは任意選択で、ローカルＰＬＭＮの「ｍｎｃ＜ＭＮＣ＞．ｍｃｃ＜ＭＣＣ＞」をそれぞれが含んでいるＦＱＤＮのリストを返す公開ＮＡＰＴＲ  ＤＮＳサーバへの、「ｍｃｃ＜ＭＣＣ＞」を含んだ入力ＦＱＤＮによる、ＤＮＳクエリを実行することによって、ローカルＰＬＭＮのリスト（すなわち、ＵＥが位置する国におけるＰＬＭＮのリスト）を入手しようとする。対応するＤＮＳのレコードは個別のオペレータによって管理されていない可能性がある（ＧＳＭＡによって管理されることがある）ので、入力ＦＱＤＮのドメインは、個別のオペレータに対応しない。
【００５０】
４）（ｅＰＤＧローミングは、ｅＰＤＧの選択情報の中のＰＬＭＮによって「保証される」ので）ｅＰＤＧの選択情報の中にローカルＰＬＭＮが構成される場合のみ、ＵＥは、上記のリスト内の任意のＰＬＭＮによって運用されるｅＰＤＧへの、ＴＳ  ２４．３０２、従属項７によるＩＰＳｅｃトンネルを確立しようと試みる。
【００５１】
３ＧＰＰ  ＴＳ  ２３．００３は、ＦＱＤＮを構築するために使用され得る有益な付録Ｄ「Ａｐｐｌｉｃａｂｉｌｉｔｙ  ａｎｄ  ｕｓｅ  ｏｆ  ｔｈｅ  ”．３ｇｐｐｎｅｔｗｏｒｋ．ｏｒｇ”  ｄｏｍａｉｎ  ｎａｍｅ」を提供する。ｍｎｃ＜ＭＮＣ＞．ｍｃｃ＜ＭＣＣ＞によって識別されるオペレータによって管理されるＤＮＳは、「＜ｓｅｒｖｉｃｅ＿ｉｄ＞．ｍｎｃ＜ＭＮＣ＞．ｍｃｃ＜ＭＣＣ＞．ｐｕｂ．３ｇｐｐｎｅｔｗｏｒｋ．ｏｒｇ」の形式でＦＱＤＮを使用することによって、ＵＥによって到達される可能性があるというのが、この付録の原則である。したがって、具体的なオペレータによって管理されていない公開ＤＮＳは、別の形式を使用するべきである。
【００５２】
この代替形態の１つの例として、ＤＮＳクエリのために使用されることになる入力ＦＱＤＮは、「ｍｃｃ＜ＭＣＣ＞．ｌｏｃａｌ−ｐｌｍｎ．ｐｕｂ．３ｇｐｐｎｅｔｗｏｒｋ．ｏｒｇ」の形式を有し、公開ＤＮＳサーバは、「ｍｎｃ＜ＭＮＣ＞．ｍｃｃ＜ＭＣＣ＞．ｌｏｃａｌ−ｐｌｍｎ．ｐｕｂ．３ｇｐｐｎｅｔｗｏｒｋ．ｏｒｇ」の出力ＦＱＤＮのリストを返す。
【００５３】
複数のＭＣＣの値が現地国に対応する場合、出力ＦＱＤＮ内のＭＣＣの値は、入力ＦＱＤＮ内のＭＣＣの値とは異なる値を有することがあることに留意されたい。
【００５４】
第１の代替形態に関する実施形態において、ＵＥによるｅＰＤＧの選択のために使用される情報の例が図１に示される。図１において、このような情報は、好ましくないＰＬＭＮで機能強化されたｅＰＤＧの選択情報を含み、（点線で示されるように）例えば公開ＤＮＳサーバへのＤＮＳクエリによって取得されたローカルＰＬＭＮのリストを含んでよい。
【００５５】
第２の代替形態として
１）この代替形態は、ｅＰＤＧの選択情報の中の各ＰＬＭＮの属性「必須、好ましい」が、ＴＳ  ２３．４０２に規定されているようなものであることを想定する。
【００５６】
２）代替形態１のステップ２）と同じ。
【００５７】
３）ローカルＰＬＭＮのリストを決定するために、代替形態１のステップ３）と同じ。
【００５８】
４）（ｅＰＤＧの選択情報の中のＰＬＭＮによって、ｅＰＤＧローミングが「保証される」ので）ｅＰＤＧの選択情報の中にＰＬＭＮが構成される場合、ＵＥは、上記リスト内の任意のＰＬＭＮによって運用されるｅＰＤＧに対して、ＴＳ  ２４．３０２、従属項７によるＩＰＳｅｃトンネルを確立しようと試みる。
【００５９】
５）ｅＰＤＧの選択情報の中でも示されるＤＮＳサーバによって返されたリスト内にＰＬＭＮがない場合、またはステップ４でｅＰＤＧへのＩＰＳｅｃトンネルを確立することにＵＥが成功しなかった場合、ＵＥは、ＵＥのＨＰＬＭＮとのローミング契約を有する現地のｅＰＤＧのリストを入手しようとする。
【００６０】
ａ．ＵＥは、ステップ３でＵＥが交信しようとしたローカルＰＬＭＮを除去する。
【００６１】
ｂ．残りのローカルＰＬＭＮのそれぞれに対して、ＵＥのＨＰＬＭＮ（ｈｍｎｃ＜ＭＮＣ＞．ｈｍｃｃ＜ＭＣＣ＞）およびローカルＰＬＭＮ  ＩＤ（ｍｎｃ＜ＭＮＣ＞．ｍｃｃ＜ＭＣＣ＞）を含むＦＱＤＮを用いて、ＵＥは、ローカルＰＬＭＮ  ＮＡＰＴＲ  ＤＮＳサーバへのＤＮＳクエリを実行する。オペレータによってＤＮＳは管理されるので、ＦＱＤＮは、「ｅｐｄｇ．ｈｍｎｃ＜ＭＮＣ＞．ｈｍｃｃ＜ＭＣＣ＞．ｍｎｃ＜ＭＮＣ＞．ｍｃｃ＜ＭＣＣ＞．ｐｕｂ．３ｇｐｐｎｅｔｗｏｒｋ．ｏｒｇ」のようなフォーマットを有するであろう。ＤＮＳサーバは、ＨＰＬＭＮとのローミング契約がある場合、例えば「ｓ」ＮＡＰＴＲレコードの中に代用ＦＱＤＮを返し、そうでなければ却下を返す。ＵＥの「リゾルバ」が、ＤＮＳサーバから代用ＦＱＤＮを入手する場合、ＵＥは、代用ＦＱＤＮを用いて第２のＤＮＳリクエスト（例えばＳＲＶタイプ）を発行する。代用ＦＱＤＮが「ａ」または「ｓ」レコードと関連付けられているかどうかに応じて、出力は、ＩＰアドレスのリストまたはｅＰＤＧに対するＳＲＶレコードである。
【００６２】
ステップｂは、ＵＥのＨＰＬＭＮとの信頼できないＷＬＡＮのためのローミング契約を有さないローカルＰＬＭＮのｅＰＤＧにＵＥが交信しようとする場合に、ＵＥからの、損失の大きい不成功に終わるＩＰＳｅｃの確立の試みを回避することを可能にする（一般的に３ＧＰＰ  ＡＡＡプロキシまでに合計して６つの無駄なメッセージになるＩＫＥ−ＳＡ−ＩＮＩＴ＋認証のシグナリング）。
【００６３】
６）ＵＥは、これらのＰＬＭＮのうちの１つによって運用されるｅＰＤＧへの、ＴＳ  ２４．３０２、従属項７によるＩＰＳｅｃトンネルを確立しようと試みる。
【００６４】
第２の代替形態に関する実施形態において、ＵＥによってｅＰＤＧの選択のために使用される情報の例が図２に示される。図２において、このような情報は、例えば公開ＤＮＳサーバへのＤＮＳクエリによって取得されたローカルＰＬＭＮのリスト、および、例えば、ローカルＰＬＭＮ  ＤＮＳサーバへのＤＮＳクエリによって取得された（ＥＰＣへの信頼できないＷＬＡＮアクセスのための、ＵＥのＨＰＬＭＮとのローミング契約をローカルＰＬＭＮが有するかどうかを示す）ローカルＰＬＭＮのローミング契約情報を示す情報を含む。
【００６５】
第３の代替形態として、ＵＥは、ＵＥが位置する国におけるＰＬＭＮ内のｅＰＤＧを以下のように選択する。
【００６６】
１）ＵＥは、ＵＥが位置する国を検出し、この国のＭＣＣのうちの１つを決定する。
【００６７】
２）ＵＥは、ＵＥのＨＰＬＭＮ（ｈｍｎｃ＜ＭＮＣ＞．ｈｍｃｃ＜ＭＣＣ＞）およびステップ１でＵＥが決定した現地国のＭＣＣ（ｍｃｃ＜ＭＣＣ＞）（１つの国にいくつかのＭＣＣがあってよい）を含むＦＱＤＮを用いて現地のＤＮＳサーバへのＤＮＳクエリを実行することによって、ＵＥのＨＰＬＭＮとのｅＰＤＧローミング契約を有するローカルＰＬＭＮのリストを入手しようとする。ＤＮＳサーバは、ＵＥのＨＰＬＭＮとの信頼できないＷＬＡＮのためのローミング契約を有するＰＬＭＮのリスト（ｍｎｃ＜ＭＮＣ＞．ｍｃｃ＜ＭＣＣ＞）を返す。
【００６８】
３）ＵＥは、これらのＰＬＭＮのうちの１つによって運用されるｅＰＤＧへの、ＴＳ  ２４．３０２、従属項７によるＩＰＳｅｃトンネルを確立しようと試みる。
【００６９】
ＴＳ  ２３．００３は、ＦＱＤＮを構築するために使用され得る有益な付録Ｄ「Ａｐｐｌｉｃａｂｉｌｉｔｙ  ａｎｄ  ｕｓｅ  ｏｆ  ｔｈｅ  “．３ｇｐｐｎｅｔｗｏｒｋ．ｏｒｇ”  ｄｏｍａｉｎ  ｎａｍｅ」を提供する。例として、第３の代替形態において、ＦＱＤＮは、「ｈｍｎｃ＜ＭＮＣ＞．ｈｍｃｃ＜ＭＣＣ＞．ｍｃｃ＜ＭＣＣ＞．ｌｃｅｐｄｇ．ｐｕｂ．３ｇｐｐｎｅｔｗｏｒｋ．ｏｒｇ」の形式を有し、ここで、サービスは現地国のｅＰＤＧ（ｌｃｅｐｄｇ）であり、ＵＥが位置する国のＭＣＣはｍｃｃであり、ＵＥのＨＰＬＭＮは、ｈｍｎｃに加えてｈｍｃｃである。
【００７０】
ＤＮＳは、ＵＥのＨＰＬＭＮがＷＬＡＮローミング契約を有する、「ｍｃｃ」によって識別された国におけるローカルＰＬＭＮのリストによって構成される。ｅＰＤＧとのＩＰＳｅｃトンネルの確立が成功するまで、リスト内のローカルＰＬＭＮのそれぞれに対して、
・ＵＥは、（２３．４０２  §４．５．４．２の中で説明されたオペレータ識別子ＦＱＤＮを使用して）このローカルＰＬＭＮ上にＵＥが登録されていたかのように、このＰＬＭＮのｅＰＤＧの識別子を取り出そうとし、
・ＵＥは、ＴＳ  ２４．３０２、従属項７によるＩＰＳｅｃトンネルを確立しようと試みる。
【００７１】
第３の代替形態のための実装例として、ＵＥは、「ｈｍｎｃ＜ＭＮＣ＞．ｈｍｃｃ＜ＭＣＣ＞．ｍｃｃ＜ＭＣＣ＞．ｌｃｅｐｄｇ．ｐｕｂ．３ｇｐｐｎｅｔｗｏｒｋ．ｏｒｇ．」と関連付けられたＮＡＰＴＲレコードをフェッチする。ＵＥが入手するＤＮＳ  ＮＡＰＴＲ情報は、以下のようなＮＡＰＴＲレコードのセットである。
【００７２】
・  （オペレータ間の公平性を保証するために）同じＮＡＰＴＲの優先度と順序を有する。
【００７３】
・  （ＩＥＴＦ  ＲＣ  ３４０３によれば、「アプリケーションは、端末探索を意味するようにフラグ「ａ」を定義し、書換えの出力が、Ａレコードが問い合わされるべきドメイン名になることを定義する」ので）「ａ」にセットされる「ｆｌａｇｓ」フィールドを有する。実際は、ＵＥ内のＤＮＳリゾルバは、返されたＦＱＤＮを使用してｅＰＤＧのＩＰアドレスを入手する。
【００７４】
・  （ＵＥ内の複雑なアルゴリズムを回避するために）置換のための正規表現（「ｒｅｇｅｘｐ」）は含んでいない。
【００７５】
・  しかし、ＮＡＰＴＲの「ｒｅｐｌａｃｅｍｅｎｔ」フィールドにＨＰＬＭＮとのｅＰＤＧローミングをサポートするＶＰＬＭＮのオペレータ識別子ＦＱＤＮを含んでいる（２３．４０２  §４．５．４．２に定義されるような）。
【００７６】
ＵＥ内のＤＮＳリゾルバは次に、オペレータ識別子ＦＱＤＮを選ぶ必要があり、対応するローカルＰＬＭＮのｅＰＤＧを見つけるために、この新しいドメインに向けてＤＮＳ探索を発行する。
【００７７】
第３の代替形態に関する実施形態において、ＵＥによってｅＰＤＧの選択のために使用される情報の例が図３に示される。図３において、このような情報は、例えば、ＤＮＳサーバへのＤＮＳクエリによって取得された（ローミング契約を有するＰＬＭＮのリストを示す）ＥＰＣへの信頼できないＷＬＡＮアクセスのための、ＵＥのＨＰＬＭＮとのローミング契約を有するローカルＰＬＭＮのリストを含む。
【００７８】
すべての代替形態に関して、リスト内のＰＬＭＮの公正な使用は、（ＲＦＣ  ３４．０３の定義による）同じ順序および同じ優先度を有するＮＡＰＴＲレコードを使用するローカルＰＬＭＮのリスト、ならびにＩＰＳｅｃトンネルの確立が成功裏に試みられなかった複数のＰＬＭＮの間でランダムに選ぶＵＥ内のＤＮＳリゾルバを提供するＤＮＳによって実現される可能性がある。別の可能性は、ＤＮＳがランダムまたはラウンドロビン順にローカルＰＬＭＮのリストを提供し、ＵＥは常にリスト内の第１のＰＬＭＮでスタートするというものである。
【００７９】
満たすべきもう１つの必要性は、ホームＰＬＭＮ（ＨＰＬＭＮ）内の（３ＧＰＰ  ２３．２２８に定義されるような）Ｐ−ＣＳＣＦに関し、ＩＭＳサービスのために、別の国の訪問先ＰＬＭＮ（ＶＰＬＭＮ）に位置するＵＥをサーブする必要があるということである（このシナリオは、ＴＲ  ２３．７４９において文書化された、ＦＳ＿Ｖ８  ＳＩＤにおけるＳ８  Ｈｏｍｅ  Ｒｏｕｔｅｄの研究の一部として研究される）。この場合、ＨＰＬＭＮ内のＰ−ＣＳＣＦは、ＶＰＬＭＮ内のＵＥによって開始されたセッションシグナリングが、このＶＰＬＭＮ内で定義された緊急電話番号をターゲットにするかどうかを決定する必要がある（例えば、子どもまたは女性の虐待に関する緊急電話番号は、国によって変わる可能性がある）。
【００８０】
ＶＰＬＭＮ内のＵＥによって開始されたセッションシグナリングが、このＶＰＬＭＮ内で定義された緊急電話番号をターゲットにするとき、ＨＰＬＭＮ内のＰ−ＣＳＣＦは、このＶＰＬＭＮ内の緊急サービスのためのＰ−ＣＳＣＦの選択にＵＥを変更させる必要がある。
【００８１】
ＶＰＬＭＮ内のＵＥによって開始されたセッションシグナリングが、このＶＰＬＭＮ内で定義された緊急電話番号をターゲットにするかどうかを検出するために、Ｐ−ＣＳＣＦは、ＵＥがローミング契約を有するＶＰＬＭＮの各国に関連付けられた緊急電話番号のリストによって、ローカルに構成されることがある。
【００８２】
これは、管理するのが厄介になるであろう。
【００８３】
別のさらに単純な解決策は、Ｐ−ＣＳＣＦが（ＵＥが位置する）ＶＰＬＭＮのＭＣＣを用いて、この国における緊急電話番号に関連付けられた特定のＦＱＤＮを作り、この国における緊急電話番号のリストを入手するためにＤＮＳのレコードのリクエストを発行する場合である。
【００８４】
本発明の別の態様として、いくつかの実施形態において、Ｐ−ＣＳＣＦは、このような緊急電話番号のリストを返す公開ＮＡＰＴＲ  ＤＮＳサーバに対して（ＵＥがキャンピングしているＰＬＭＮの）「ｍｃｃ＜ＭＣＣ＞」を含んだ入力ＦＱＤＮに対するＤＮＳクエリを実行することによって、現地の緊急電話番号のリスト（すなわちＵＥが位置する国における緊急電話番号のリスト）を入手しようとする。対応するＤＮＳのレコードは個別のオペレータによって管理されない可能性がある（ローカルＰＬＭＮの「ｍｎｃ＜ＭＮＣ＞．ｍｃｃ＜ＭＣＣ＞」をそれぞれが含んでいるＦＱＤＮのリストを返す公開ＤＮＳサーバのＮＡＰＴＲレコードのようなＧＳＭＡによって管理されることがある）ので、入力ＦＱＤＮのドメインは、個別のオペレータに対応しない。Ｐ−ＣＳＣＦはＤＮＳ探索の一部として受け取られたＤＮＳのレコードをキャッシュしている可能性があるので、Ｐ−ＣＳＣＦは、セッション関連のシグナリングをＵＥが登録または発行するたびにこのリストを取り出すことは想定されていない。
【００８５】
本発明の様々な態様および／または実施形態は、以下の態様および／または実施形態を（これらに限定されないが）含む。
【００８６】
いくつかの態様は、ユーザ装置ＵＥに関する。
【００８７】
以下の実施形態を（これらに限定されないが）含めた様々な実施形態が提供されてよく、これらは、単独または様々な組合せに従って組み合わされてよい。
【００８８】
１つの実施形態において、前記ＵＥは：
−  ＵＥのＨＰＬＭＮによって構成されたｅＰＤＧの選択情報を入手することであって、前記ｅＰＤＧの選択情報は、ＰＬＭＮ内のｅＰＤＧの選択が好ましいもしくは必須または好ましくないかを示すＰＬＭＮのリストを含む、入手すること
を行うように構成される。
【００８９】
１つの実施形態において、前記ＵＥは：
−  前記ｅＰＤＧの選択情報の中で構成されたＰＬＭＮの前記リスト、ならびにＵＥが位置する国のＭＣＣのリストおよび／またはローカルＰＬＭＮのリストに基づいて、ＥＰＣへの信頼できないＷＬＡＮアクセスのための、ＵＥのＨＰＬＭＮとのローミング契約を有する、ローカルＰＬＭＮと呼ばれる、前記国のＰＬＭＮによって運用されるｅＰＤＧを選択すること
を行うように構成される。
【００９０】
１つの実施形態において、前記ＵＥは：
−  ＭＣＣの前記リストを決定することと、
−  前記ＰＬＭＮのＭＣＣがＭＣＣの前記リスト内にある場合、前記ｅＰＤＧの選択情報の中に構成されたＰＬＭＮによって運用されるｅＰＤＧへのＩＰＳｅｃトンネルを確立しようと試みることと
を行うように構成される。
【００９１】
１つの実施形態において、前記ＵＥは：
−  ローカルＰＬＭＮの前記リストを入手することと、
−  前記ＰＬＭＮが前記ｅＰＤＧの選択情報の中に構成される場合、ローカルＰＬＭＮの前記リストのＰＬＭＮによって運用されるｅＰＤＧへのＩＰＳｅｃトンネルを確立しようと試みることと
を行うように構成される。
【００９２】
１つの実施形態において、前記ＵＥは：
−  ＵＥが位置する国のＭＣＣを含んでいる入力に対するＤＮＳサーバへのＤＮＳクエリを介して、ローカルＰＬＭＮの前記リストを入手すること
を行うように構成される。
【００９３】
１つの実施形態において、前記ＵＥは：
−  ＵＥが位置する国の、ローカルＰＬＭＮと呼ばれる、ＰＬＭＮのリストを入手すること
を行うように構成される。
【００９４】
１つの実施形態において、前記ＵＥは：
−  ローカルＰＬＭＮの前記リスト、およびＥＰＣへの信頼できないＷＬＡＮアクセスのための、ＵＥのＨＰＬＭＮとのローミング契約をローカルＰＬＭＮが有するかどうかを示す、ローカルＰＬＭＮのローミング契約情報と呼ばれる情報に基づいて、ＥＰＣへの信頼できないＷＬＡＮアクセスのための、ＵＥのＨＰＬＭＮとのローミング契約を有するローカルＰＬＭＮによって運用されるｅＰＤＧを選択すること
を行うように構成される。
【００９５】
１つの実施形態において、前記ＵＥは：
−  ＵＥが位置する国のＭＣＣを含んでいる入力に対する、ＤＮＳサーバへのＤＮＳクエリを介して、ローカルＰＬＭＮの前記リストを入手すること
を行うように構成される。
【００９６】
１つの実施形態において、前記ＵＥは：
−  ＦＱＤＮをターゲットとするＤＮＳサーバへのＤＮＳクエリを介して、前記ローカルＰＬＭＮのローミング契約情報を入手することであって、ＦＱＤＮが：
・  前記ローカルＰＬＭＮのＭＣＣおよびＭＮＣ、ならびに
・  ＵＥのＨＰＬＭＮのＭＣＣおよびＭＮＣ
を含む、入手すること
を行うように構成され、
前記ＤＮＳクエリの出力は、ＥＰＣへの信頼できないＷＬＡＮアクセスのための、ＵＥのＨＰＬＭＮとのローミング契約を前記ローカルＰＬＭＮが有していない場合、失敗を示す。
【００９７】
１つの実施形態において、前記ＵＥは：
−  ＥＰＣへの信頼できないＷＬＡＮアクセスのための、ＵＥのＨＰＬＭＮとのローミング契約を前記ローカルＰＬＭＮが有する場合、前記ＤＮＳサーバから代用ＦＱＤＮを入手すること、およびＵＥのＨＰＬＭＮのユーザをサーブできる、前記ローカルＰＬＭＮによって運用されるｅＰＤＧのリストをさらに取得するために、代用ＦＱＤＮを用いて第２のＤＮＳクエリを発行すること
を行うように構成される。
【００９８】
１つの実施形態において、前記ＵＥは：
−  ＰＬＭＮ内のｅＰＤＧの選択が好ましいまたは必須であるかどうかを示すＰＬＭＮのリストを含む、ＵＥのＨＰＬＭＮによって構成されたｅＰＤＧの選択情報を入手することと、
−  ローカルＰＬＭＮの前記リストのＰＬＭＮによって運用されるｅＰＤＧへのＩＰＳｅｃトンネルを、このＰＬＭＮがｅＰＤＧの選択情報の中に構成される場合に、確立しようと試みることと、
−  前記ｅＰＤＧの選択情報の中にも構成されるローカルＰＬＭＮの前記リスト内にＰＬＭＮがない場合、または前記ＩＰＳｅｃトンネルを確立しようとする前記試みにＵＥが成功しなかった場合、前記ローカルＰＬＭＮのローミング契約情報を入手することと
を行うように構成される。
【００９９】
１つの実施形態において、前記ＵＥは：
−  ＥＰＣへの信頼できないＷＬＡＮアクセスのための、ＵＥのＨＰＬＭＮとのローミング契約を有する、ＵＥが位置する国の、ローカルＰＬＭＮと呼ばれる、ＰＬＭＮのリストを入手すること
を行うように構成される。
【０１００】
１つの実施形態において、前記ＵＥは：
−  前記リストに基づいて、ＥＰＣへの信頼できないＷＬＡＮアクセスのための、ＵＥのＨＰＬＭＮとのローミング契約を有するローカルＰＬＭＮによって運用されるｅＰＤＧを選択すること
を行うように構成される。
【０１０１】
１つの実施形態において、前記ＵＥは：
−  ＤＮＳサーバへのＤＮＳクエリを介して、前記リストを入手すること
を行うように構成される。
【０１０２】
１つの実施形態において、前記ＵＥは：
−  ＵＥが位置する国におけるローカルＰＬＭＮによって運用されるｅＰＤＧを選択することを前記ＵＥが要求される場合、前記ｅＰＤＧの選択を行うこと
を行うように構成される。
【０１０３】
その他の態様は、ＤＮＳサーバに関する。
【０１０４】
以下の実施形態を（これらに限定されないが）含む様々な実施形態が提供されてよく、単独でまたは様々な組合せに従って組み合わされてよい。
【０１０５】
実施形態において、ＤＮＳサーバは：
−  国のＭＣＣを含むＦＱＤＮをターゲットとするＤＮＳクエリを受け取ることと、
−  それに応じて、前記国のＰＬＭＮの識別子のリスト、つまりＭＣＣおよびＭＮＣを提供することと
を行うように構成される。
【０１０６】
１つの実施形態において、ＤＮＳサーバは：
−  ＦＱＤＮをターゲットとするＤＮＳクエリを受け取ることであって、ＦＱＤＮが：
・  ＵＥの訪問国におけるローカルＰＬＭＮのＭＣＣおよびＭＮＣ、ならびに
・  ＵＥのＨＰＬＭＮのＭＣＣおよびＭＮＣ
を含む、受け取ることと、
−  それに応じて、ＥＰＣへの信頼できないＷＬＡＮアクセスのための、ＵＥのＨＰＬＭＮとのローミング契約を前記ローカルＰＬＭＮが有していない場合、失敗を示すことと
を行うように構成される。
【０１０７】
１つの実施形態において、ＤＮＳサーバは：
−  それに応じて、ＥＰＣへの信頼できないＷＬＡＮアクセスのための、ＵＥのＨＰＬＭＮとのローミング契約を前記ローカルＰＬＭＮが有する場合、代用ＦＱＤＮを提供することであって、前記代用ＦＱＤＮは、ＵＥのＨＰＬＭＮのユーザをサーブできる前記ローカルＰＬＭＮのｅＰＤＧのリストを前記ＵＥが入手することを可能にする、提供すること
を行うように構成される。
【０１０８】
１つの実施形態において、ＤＮＳサーバは：
−  ＦＱＤＮをターゲットとするＤＮＳクエリを受け取ることであって、ＦＱＤＮが：
・  ＵＥのＨＰＬＭＮのＭＣＣおよびＭＮＣ、ならびに
・  ＵＥが位置する国のＭＣＣ
を含む、受け取ることと、
−  それに応じて、ＥＰＣへの信頼できないＷＬＡＮアクセスのための、ＵＥのＨＰＬＭＮとのローミング契約を有する、前記国のＰＬＭＮの識別子のリスト、つまりＭＣＣおよびＭＮＣを提供することと
を行うように構成される。
【０１０９】
その他の態様は、ユーザ装置ＵＥが位置する国における進化型パケットデータゲートウェイを選択するための方法に関し、このようにして構成されたＵＥまたはＤＮＳサーバのうちの少なくとも１つによって行われる少なくとも１つのステップを含む。
【０１１０】
その他の態様はＤＮＳサーバに関する。
【０１１１】
以下を含む様々な実施形態が提供される：
１つの実施形態において、前記ＤＮＳサーバは：
−  国のＭＣＣを含むＦＱＤＮをターゲットとするＤＮＳクエリを受け取ることと、
−  それに応じて、前記国の緊急電話番号のリストを提供すること
を行うように構成される。
【０１１２】
その他の態様はＰ−ＣＳＣＦに関する。
【０１１３】
以下を含む様々な実施形態が提供される：
１つの実施形態において、前記Ｐ−ＣＳＣＦは：
−  ＵＥをサーブするＶＰＬＭＮのＭＣＣに基づいて、このＭＣＣに対応する国において定義された緊急電話番号のリストをＤＮＳサーバから取り出すこと
を行うように構成される。
【０１１４】
その他の態様は、ユーザ装置ＵＥが位置する国における現地の緊急電話番号を決定するための方法に関し、このようにして構成されたＰ−ＣＳＣＦまたはＤＮＳサーバのうちの少なくとも１つによって行われる少なくとも１つのステップを含む。
【０１１５】
様々な上述の方法のステップは、プログラムされたコンピュータによって行われてよいということを、当業者は容易に認識するであろう。本明細書において、いくつかの実施形態は、機械またはコンピュータ可読であり、命令の、機械実行可能またはコンピュータ実行可能プログラムをエンコードする、例えば、デジタルデータストレージ媒体といったプログラムストレージデバイスを対象とすることも意図し、前記命令は、上述の前記方法のステップのいくつかまたはすべてを行う。プログラムストレージデバイスは、例えば、デジタルメモリ、磁気ディスクおよび磁気テープなどの磁気ストレージ媒体、ハードドライブ、または光学的に可読なデジタルデータストレージ媒体であってよい。実施形態は、上述の方法の前記ステップを行うようにプログラムされたコンピュータを対象とすることも意図する。
【図１】
2019506070.tif 000003
【図２】
2019506070.tif 000004
【図３】
2019506070.tif 000005
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
コンピュータプログラムコードを含む少なくとも１つのメモリと
を備える装置であって、
少なくとも１つのメモリおよびコンピュータプログラムコードが、少なくとも１つのプロセッサによって、装置に少なくとも、
−  ユーザ装置が位置する国を決定すること、
−  ドメインネームシステムクエリを介して、ローカル公衆陸上移動網と呼ばれる、ユーザ装置が位置する国の公衆陸上移動網のリストを入手すること、
−  ユーザ装置のホーム公衆陸上移動網との信頼できない無線ローカルエリアネットワークアクセスのためのローミング契約を有するローカル公衆陸上移動網のうちの１つによって運用される、インターネットプロトコルセキュリティトンネルを確立すべき進化型パケットデータゲートウェイを選択すること
を行わせるように構成される、装置。
【請求項２】
少なくとも１つのメモリおよびコンピュータプログラムコードが、少なくとも１つのプロセッサによって、装置に少なくとも、
−  ユーザ装置が位置する国のモバイル国コードを含んでいる入力に対する、ドメインネームシステムサーバへのドメインネームシステムクエリを介して、ローカル公衆陸上移動網のリストを入手すること
を行わせるように構成される、請求項１に記載の装置。
【請求項３】
少なくとも１つのメモリおよびコンピュータプログラムコードが、少なくとも１つのプロセッサによって、装置に少なくとも、
−  前記公衆陸上移動網が、ユーザ装置のホーム公衆陸上移動網によって前記ユーザ装置に提供される進化型パケットデータゲートウェイの選択情報の中で構成される場合、前記リストのローカル公衆陸上移動網によって運用される進化型パケットデータゲートウェイを選択すること
を行わせるように構成される、請求項１または２に記載の装置。
【請求項４】
少なくとも１つのメモリおよびコンピュータプログラムコードが、少なくとも１つのプロセッサによって、装置に少なくとも、
−  ユーザ装置が位置する国におけるローカル公衆陸上移動網によって運用される進化型パケットデータゲートウェイを選択することを前記ユーザ装置が要求される場合、前記進化型パケットデータゲートウェイの選択を行うこと
を行わせるように構成される、請求項１から３のいずれか一項に記載の装置。
【請求項５】
−  ユーザ装置が位置する国を決定するステップと、
−  ドメインネームシステムクエリを介して、ローカル公衆陸上移動網と呼ばれる、ユーザ装置が位置する国の公衆陸上移動網のリストを入手するステップと、
−  ユーザ装置のホーム公衆陸上移動網との信頼できない無線ローカルエリアネットワークアクセスのためのローミング契約を有するローカル公衆陸上移動網のうちの１つによって運用される、インターネットプロトコルセキュリティトンネルを確立すべき進化型パケットデータゲートウェイを選択するステップと
を含む、方法。
【請求項６】
−  ユーザ装置が位置する国のモバイル国コードを含んでいる入力に対する、ドメインネームシステムサーバへのドメインネームシステムクエリを介して、ローカル公衆陸上移動網のリストを入手するステップ
を含む、請求項５に記載の方法。
【請求項７】
−  前記公衆陸上移動網が、ユーザ装置のホーム公衆陸上移動網によって前記ユーザ装置に提供される進化型パケットデータゲートウェイの選択情報の中で構成される場合、前記リストのローカル公衆陸上移動網によって運用される進化型パケットデータゲートウェイを選択するステップ
を含む、請求項５または６に記載の方法。
【請求項８】
−  ユーザ装置が位置する国におけるローカル公衆陸上移動網によって運用される進化型パケットデータゲートウェイを選択することを前記ユーザ装置が要求される場合、前記進化型パケットデータゲートウェイの選択を行うステップ
を含む、請求項５から７のいずれか一項に記載の方法。
【国際調査報告】
2019506070.tif 000006
2019506070.tif 000007
2019506070.tif 000008
2019506070.tif 000009
2019506070.tif 000010
2019506070.tif 000011